(57)【要約】【課題】乗用玩具とキックスケータを１台で実現することのできる乗用遊戯具の提供。【解決手段】ボード１の上部に、前方車軸２を支点として起立および伏せることのできるサドル８を設け、前方車軸２の後方寄りの枢軸６を支点として回動できる第１ハンドル７を設け、サドル８の前方の貫通穴９に、第１ハンドル７を摺動自在に貫通させる。サドル８に、第１ハンドルに設けた第１嵌合部７ａと第２嵌合部７ｂに先端が嵌合するロック片１０を設ける。サドル８を伏せた状態ではサドルの上に跨って第１ハンドルを握って遊ぶ乗用玩具となり、サドル８を起立させた状態では、サドル８の上部に設けた第２ハンドル１２を握り、ボード１の上に足を乗せて遊ぶキックスケータとなる。【選択図】図１
0003136074.tif 000002
【実用新案登録請求の範囲】
【請求項１】
その上に足を載せることができるボードと、
前記ボードの前方および後方に設けた前方車軸および後方車軸の回りにそれぞれ回転自在な前輪および後輪と、
前記ボードの前方車軸近傍で前記後方車軸寄りに設けた枢軸に基部が回動自在に取り付けられ、前記ボードに対して起立および前傾可能な第１ハンドルと、
前記ボードの前方車軸の回りに前方が取り付けられ、前記ボードの上部を覆う第１位置と前記ボードに対して起立状態になる第２位置に回動可能なサドルと、
前記サドルの前方位置に設けられ、前記第１ハンドルが摺動自在に貫通する貫通穴と、
前記サドルの貫通穴内を摺動する前記第１ハンドルの周部に対して先端が圧接する状態に移動可能に設けられたロック片と、
前記サドルが前記ボードに対して前記第１位置にあるときに前記ロック片の先端が圧接する前記第１ハンドルの部分に設けられた第１嵌合部と、
前記サドルが前記ボードに対して前記第２位置にあるときに前記ロック片の先端が圧接する前記第１ハンドルの部分に設けられた第２嵌合部と、
前記ロック片の先端が前記第１嵌合部または第２嵌合部に嵌合して圧接している状態を解除するロック解除操作部と、
前記サドルの後方に設けられ、前記サドルが第２位置にあるときに握り部となる第２ハンドルと
を備えた乗用遊戯具。
【請求項２】
前記ロック片は、先端が前記第１ハンドルの周部に対して圧接する状態に押圧バネで付勢され、基端が前記サドルの前方にロック解除操作部として露出して設けられたロックバーである請求項１記載の乗用遊戯具。
【請求項３】
前記第１位置の状態にあるときに、前記第２ハンドルの握り部が、前記ボードの後部に設けた凹部に受け止められるようにした請求項１または２に記載の乗用遊戯具。
【考案の詳細な説明】
【技術分野】
【０００１】
本考案は、サドルとハンドルを有する４輪車または３輪車と、キックスケータとを兼用した乗用遊戯具に関する。
【背景技術】
【０００２】
子供の成長に応じて、使用する乗物も変わる。首が据わり、歩き出すと、３輪車や４輪車のように、サドルに乗っても倒れない乗用玩具で、脚力や運動神経を鍛えることができる。さらに走れるようになると、キックスケータ等で、スピードや反射神経を培うことができる。
【０００３】
キックスケータとしては、特許文献１に記載されているような、ハンドルの高さを調節でき且つ、ハンドルポストをボード側へ折畳み自在とすると共にボードの後部にフェンダ兼用のフレーキ部材を設けたキックスケートにおいて、ボードの後端にベルクランク形の動作杆の屈曲部を枢着すると共に動作杆の一端にインナーワイヤを止着し、動作杆の他端と前記ブレーキ部材の後端を連杆で連結し、更にインナーワイヤをハンドルに設けたハンドブレーキに連結し、制動を手元で行うことを特徴とするキックスケートがある。
【０００４】
また、特許文献２に記載されているような、前輪を有するハンドル主幹と、それぞれに後輪を有する左右の台車よりなる三輪型のキックスケータであって、ハンドル主幹の下端側に丁番を用いて左右の台車を、その後輪側が平面視略三角形状に開脚するように回動可能に連設し、左右の台車は車軸受けを介して後輪を設け、かつ、左右の台車の後輪側にはステップ板を丁番により回動可能に取り付けるとともに左右のステップ板を丁番により上方側に折り畳み可能に連接して、後輪間を開閉脚することを特徴とする開脚三輪車のキックスケータがある。
【０００５】
【特許文献１】実用新案登録第３０７２７３１号公報
【特許文献２】実用新案登録第３０７３９９２号公報
【考案の開示】
【考案が解決しようとする課題】
【０００６】
これらの乗用玩具とキックスケータは、遊び方が異なる別々のものであるため、２つを購入するには、別々の費用が掛かるし、収納スペースも２台分を要する。
そこで本考案は、乗用玩具とキックスケータを１台で実現することのできる乗用遊戯具を提供することを目的とする。
【課題を解決するための手段】
【０００７】
前記課題を解決するため、本考案の乗用遊戯具は、その上に足を載せることができるボードと、前記ボードの前方および後方に設けた前方車軸および後方車軸の回りにそれぞれ回転自在な前輪および後輪と、前記ボードの前方車軸近傍で前記後方車軸寄りに設けた枢軸に基部が回動自在に取り付けられ、前記ボードに対して起立および前傾可能な第１ハンドルと、前記ボードの前方車軸の回りに前方が取り付けられ、前記ボードの上部を覆う第１位置と前記ボードに対して起立状態になる第２位置に回動可能なサドルと、前記サドルの前方位置に設けられ、前記第１ハンドルが摺動自在に貫通する貫通穴と、前記サドルの貫通穴内を摺動する前記第１ハンドルの周部に対して先端が圧接する状態に移動可能に設けられたロック片と、前記サドルが前記ボードに対して前記第１位置にあるときに前記ロック片の先端が圧接する前記第１ハンドルの部分に設けられた第１嵌合部と、前記サドルが前記ボードに対して前記第２位置にあるときに前記ロック片の先端が圧接する前記第１ハンドルの部分に設けられた第２嵌合部と、前記ロック片の先端が前記第１嵌合部または第２嵌合部に嵌合して圧接している状態を解除するロック解除操作部と、前記サドルの後方に設けられ、前記サドルが第２位置にあるときに握り部となる第２ハンドルとを備えたことを特徴とする。
【０００８】
本考案においては、前輪および後輪を備えたボードに対してサドルが第１位置にあるときは、ボード上をサドルが覆い、かつ第１ハンドルがサドルの貫通穴から起立した状態に突出しているため、サドルの上に跨って第１ハンドルを握った状態で遊ぶことのできる乗用玩具となる。この状態から、ロック解除操作部を操作してロック片と第１嵌合部との嵌合を解除すると、サドルを、前方車軸を支点として起立させることができる。サドルが起立すると、サドルの貫通穴を摺動している第１ハンドルの第２嵌合部にロック片の先端が嵌合し、第２位置でサドルが固定される。起立したサドルの上部には第２ハンドルが設けられているので、第２ハンドルを握り部とし、サドル上に足を乗せてキックスケータとしての遊びを行うことができる。第２位置から第１位置に戻すには、ロック解除操作部を操作してロック片と第２嵌合部との嵌合を解除すると、サドルを起立状態から伏せた状態（第１位置）に戻すことができ、その状態で、ロック片は第１嵌合部に嵌合し、ロックされる。このように、乗用玩具とキックスケータとを切り替えるときに、ひとつの部品も取り外さずに、ワンタッチで操作することができる。また、乗用玩具ではサドルになる部品に第２ハンドルを設けたことにより、サドルが、キックスケータのハンドルに早変わりすることになる。
【０００９】
ロック片は、先端が第１ハンドルの周部に対して圧接する状態に押圧バネで付勢され、基端がサドルの前方にロック解除操作部として露出して設けられたロックバーとすることにより、ロック片とロック解除操作部を一体とした簡素な構造とすることができる。
【００１０】
前記第１位置の状態にあるときに、第２ハンドルの握り部が、ボードの後部に設けた凹部に受け止められるようにすることにより、乗用玩具として使用するときのサドルの重量を、ボードの後部に設けた凹部により支えることができる。
【考案の効果】
【００１１】
本考案によれば、その上に足を載せることができるボードと、前記ボードの前方および後方に設けた前方車軸および後方車軸の回りにそれぞれ回転自在な前輪および後輪と、前記ボードの前方車軸近傍で前記後方車軸寄りに設けた枢軸に基部が回動自在に取り付けられ、前記ボードに対して起立および前傾可能な第１ハンドルと、前記ボードの前方車軸の回りに前方が取り付けられ、前記ボードの上部を覆う第１位置と前記ボードに対して起立状態になる第２位置に回動可能なサドルと、前記サドルの前方位置に設けられ、前記第１ハンドルが摺動自在に貫通する貫通穴と、前記サドルの貫通穴内を摺動する前記第１ハンドルの周部に対して先端が圧接する状態に移動可能に設けられたロック片と、前記サドルが前記ボードに対して前記第１位置にあるときに前記ロック片の先端が圧接する前記第１ハンドルの部分に設けられた第１嵌合部と、前記サドルが前記ボードに対して前記第２位置にあるときに前記ロック片の先端が圧接する前記第１ハンドルの部分に設けられた第２嵌合部と、前記ロック片の先端が前記第１嵌合部または第２嵌合部に嵌合して圧接している状態を解除するロック解除操作部と、前記サドルの後方に設けられ、前記サドルが第２位置にあるときに握り部となる第２ハンドルとを備えたことにより、乗用玩具とキックスケータを１台で実現することができ、また、その切り替えも、一つの部品も取り外さず、工具も不要で、ワンタッチで行うことができる。
【考案を実施するための最良の形態】
【００１２】
以下、本考案の実施の形態を、図面を用いて具体的に説明する。
図１は本考案の実施の形態に係る乗用遊戯具を示すもので、（ａ）は乗用玩具の状態の断面図、（ｂ）はキックスケータの状態の断面図である。また、図２は本実施の形態における乗用玩具の状態の斜視図、図３は本実施の形態におけるキックスケータの状態の斜視図である。
【００１３】
これらの図において、本実施の形態の乗用遊戯具は、その上に足を載せることができるボード１と、ボード１の前方および後方に設けた前方車軸２および後方車軸３の回りにそれぞれ回転自在な前輪４および後輪５と、ボード１の前方車軸２近傍で後方車軸３寄りに設けた枢軸６に基部が回動自在に取り付けられ、ボード１に対して起立および前傾可能な第１ハンドル７と、ボード１の前方車軸２の回りに前方が取り付けられ、ボード１の上部を覆う第１位置（図１（ａ））とボード１に対して起立状態になる第２位置（図１（ｂ））に回動可能なサドル８と、サドル８の前方位置に設けられ、第１ハンドル７が摺動自在に貫通する貫通穴９と、サドル８の貫通穴９内を摺動する第１ハンドル７の周部に対して先端が圧接する状態に移動可能に設けられたロック片１０とを備えている。ロック片１０は、スプリング１１によって、先端が第１ハンドルの周部に圧接するように付勢されている。ロック片１０の基端部はサドル８から露出して、ロック解除操作部１０ａとなっている。
【００１４】
また、第１ハンドル７には、サドル８がボード１に対して第１位置にあるときにロック片１０の先端が圧接する第１嵌合部７ａと、サドル８がボード１に対して第２位置にあるときにロック片１０の先端が圧接する第２嵌合部７ｂとが設けられている。
【００１５】
サドル８の後方には、サドル８が第２位置にあるときに握り部となる第２ハンドル１２が設けられている。
【００１６】
ボード１の後部には、サドル８が第１位置にあるときに第２ハンドル１２の握り部を受け止める凹部１ａが形成されている。また、ボード１前方の前方車軸２の近傍には、第２位置にあるときの第１ハンドル７を上方に押圧して第１ハンドルのガタつきを抑制する押圧スプリング１３が設けられている。
【００１７】
まず、本乗用遊戯具を乗用玩具として使用するときは、図１（ａ）および図２に示すように、ボード１の上にサドル８が被さるようにサドル８を、前方車軸２を支点として後方に倒し、第２ハンドル１２の下部が凹部１ａに受け止められるようにする。この状態では、第１ハンドル７の上半部がサドル８の貫通穴９から突出するので、サドル８の上に跨り、第１ハンドル７の握り部を握ることにより、子供は乗用玩具として遊ぶことができる。なお、この状態では、第１ハンドルの第１嵌合部７ａにロック片１０の先端部が嵌合してスプリング１１によりその嵌合状態が保持されているので、第１ハンドル７とサドル８は互いにその位置が固定され、サドル８が浮いたり、第１ハンドル７が前後方向に動いたりすることはない。
【００１８】
次に、本乗用遊戯具をキックスケータとして使用するときは、図１（ａ）の状態からロック片１０基端のロック解除操作部１０ａをスプリング１１の付勢力に抗して前方に引っ張ると、ロック片１０先端部と第１ハンドル７の第１嵌合部７ａとのロック状態が解除される。ロック解除操作部１０ａを引っ張った状態のまま第２ハンドル１２を少し引き起こすと、サドル８は前方車軸２を支点として上方に回動するとともに、第１ハンドル７も枢軸６を支点として前方に傾き、ロック片１０先端と第１嵌合部７ａとの位置が外れる。そうすれば、ロック解除操作部１０ａから手を離しても、サドル８のみを前方車軸２を支点として大きく起立させることができる。
【００１９】
第２ハンドル１２を規定位置まで起立させると、第１ハンドル７の第２嵌合部７ｂにロック片１０の先端部が嵌合し、図１（ｂ）および図３に示すように、第２ハンドル１２が起立状態で保持される第２位置となる。この、第２ハンドル１２の起立状態では、ボード１上はフラットになるので、そこに足を乗せ、第２ハンドル１２の握り部を握ることにより、キックスケータとして使用することができる。
【００２０】
再び、本乗用遊戯具を乗用玩具として使用するときは、図１（ｂ）の状態でロック解除操作部１０ａを引っ張った状態で第２ハンドル１２を後方に倒すように力を加えると、ロック片１０の先端部が第１ハンドル７の第２嵌合部７ｂから離脱し、ロック状態が外れる。その状態でロック解除操作部１０ａから手を離し、引き続き第２ハンドル１２を後方に倒すと、図１（ａ）に示すように、サドル８がボード１上に被さった状態となり、また、第１ハンドル７の第１嵌合部７ａにロック片１０の先端部が嵌合した第１位置が保持される。
【００２１】
このようにして、乗用玩具とキックスケータを１台の乗用遊戯具で実現することができ、また、その切り替えも、一つの部品も取り外さず、工具も不要で、ワンタッチで行うことができる。
【産業上の利用可能性】
【００２２】
本考案は、乗用玩具とキックスケータを１台で実現することのできる乗用遊戯具として、玩具および遊戯具の分野で利用することができる。
【図面の簡単な説明】
【００２３】
【図１】本考案の実施の形態に係る乗用遊戯具を示すもので、（ａ）は乗用玩具の状態の断面図、（ｂ）はキックスケータの状態の断面図である。
【図２】本実施の形態における乗用玩具の状態の斜視図である。
【図３】本実施の形態におけるキックスケータの状態の斜視図である。
【符号の説明】
【００２４】
１  ボード
１ａ  凹部
２  前方車軸
３  後方車軸
４  前輪
５  後輪
６  枢軸
７  第１ハンドル
７ａ  第１嵌合部
７ｂ  第２嵌合部
８  サドル
９  貫通穴
１０  ロック片
１０ａ  ロック解除操作部
１１  スプリング
１２  第２ハンドル
１３  押圧スプリング
【図１】
0003136074.tif 000003
【図２】
0003136074.tif 000004
【図３】
0003136074.tif 000005